(57)【特許請求の範囲】
【請求項１】
シリンダ１０とクランクケース２０との間にシリンダ１０に連設してジスタンスピース３０を設け、シリンダ１０側の隔壁３１にシリンダー軸封装置４０を設けると共に、ジスタンスピース３０のクランクケース２０側の隔壁３２にジスタンスピース軸封装置５０を設け、該ジスタンスピース軸封装置５０は、上箱５１１と下箱５１２からなる外箱５１と、上箱５１１に内嵌された内箱５３と、内箱５３とピストン棒６０との間に内嵌されるアダプタ５４とその上を押圧するコイル状圧縮バネ５６と、アダプタ５４に押圧されるＶ字形パッキンリング５５とを備えると共に、上箱５１１の内壁上面に円周溝５１７を設けて、上端が、係止され、全体が上箱５１１の内壁に内接され、下端が、摺動特性のよいスラスト板５７１とスラスト板押え板５７２を介して、内箱５３上面を押圧したコイル状圧縮バネ５７を設けると共に、内箱５３下面の円周溝５３３１に嵌入した、バネを内蔵するヒツプシール５３３を介して、内箱５３下面と下箱５１２上面とを密着してなり、油類及び被圧縮ガスの僅かな洩れを防止できるようにしたことを特徴とするガス圧縮機のジスタンスピース軸封装置。
【発明の詳細な説明】
【０００１】
【発明の属する技術分野】
本発明は、一酸化炭素等の毒性ガス、水素等の可燃性・爆発性ガス又は、ヘリウム等の高価なガスを圧縮する往復運動型ガス圧縮機の僅かなガス漏洩を防止するため、シリンダとクランクケースとの間に設けるジスタンスピースの軸封装置に関する。
【０００２】
【従来の技術】
従来、この種のガス圧縮機は、シリンダとクランクケースとの間に、ジスタンスピースを設け、シリンダとジスタンスピースとの間の隔壁にピストン棒の軸封装置を設けると共に、ジスタンスピースとクランクケースの隔壁に、更にピストン棒の軸封装置いわゆるジスタンスピース軸封装置を設け、２段構えで被圧縮ガスのクランクケースへの漏洩を防止するようにしていた。その一例として 、実開昭４８−１１０２号公報（実公昭５２−００５２８７号公報）の図２及び図３に示すように、ジスタンスピース軸封装置６に上箱６ｃ’と下箱６ｃ”とからなる外箱６ｃの上箱６ｃ’に内嵌するパッキン箱（内箱）６ｄを設け、パッキン箱（内箱）６ｄにＶ字形パッキンリング６ｅとそのアダプタ６ｆとを設けると共に、パッキン箱（内箱）６ｄに内接するコイル状圧縮バネ６ｇを設け、アダプタ６ｆを介してＶ字形パッキンリング６ｅを押圧し、Ｖ字形パッキンリング６ｅがピストン棒５及びパッキン箱（内箱）６ｄに密接できるようにしていたが、このジスタンスピース軸封装置６は、ガス圧縮機を高速運転すると、Ｖ字形パッキングリング６ｅのリップの摩擦力で、パッキン箱（内箱）６ｄがピストン棒５の上下動に従動して軸方向の振動を生じ、パッキン箱（内箱）６ｄ下面のシールリング６ｉが僅かに浮き上がり、パッキン箱（内箱）６ｄ下面と下箱６ｃ”との間から油類の漏洩に続いて被圧縮ガスの僅かな漏洩を生ずる場合があった。
また、ピストン棒５の僅かな芯振れ（軸と直角方向の振動）に対しパッキン箱（内箱）６ｄの追従が遅れ、油類や被圧縮ガスの僅かな漏洩を発生する場合があった。
そこで発明者は、外箱の上箱に内接しパッキン箱（内箱）上面を押圧できるようにもう１本の新しいコイル状圧縮バネを設け、また、新しく設定したコイル状圧縮バネとパッキン箱（内箱）上面との間に摺動特性のよいスラスト板を設けると共に、パッキン箱（内箱）下面にバネ内蔵のヒツプシールを設け、ピストン棒の芯振れ（軸と直角方向の振動）に伴うパッキン箱（内箱）の横移動を極めて円滑にできるようにすると共に、ピストン棒の上下動に伴う軸方向の振動によるパッキン箱（内箱）の浮き上りによる油類及び被圧縮ガスの僅かな漏れを完全に防止することに成功した。
【０００３】
【発明が解決しようとする課題】
本発明は、ピストン棒の上下動に従動した軸方向の振動による内箱の浮き上りによる油類及び被圧縮ガスの僅かな漏洩を完全に防止できるようにしたガス圧縮機のジスタンスピース軸封装置を提供するものである。
また、ピストン棒の芯振れに内箱が追従して円滑に横移動できるようにして、油類及び被圧縮ガスの僅かな漏洩を完全に防止できるようにしたガス圧縮機のジスタンスピース軸封装置を提供するものである。
【０００４】
【課題を解決するための手段】
本発明のガス圧縮機のジスタンスピース軸封装置は、上記課題を達成するため、図示するように、シリンダ１０とクランクケース２０との間にシリンダ１０に連設してジスタンスピース３０を設け、シリンダ１０側の隔壁３１にシリンダー軸封装置４０を設けると共に、ジスタンスピース３０のクランクケース２０側の隔壁３２にジスタンスピース軸封装置５０を設け、該ジスタンスピース軸封装置５０は、上箱５１１と下箱５１２からなる外箱５１と、上箱５１１に内嵌された内箱５３と、内箱５３とピストン棒６０との間に内嵌されるアダプタ５４とその上を押圧するコイル状圧縮バネ５６と、アダプタ５４に押圧されるＶ字形パッキンリング５５とを備えると共に、上箱５１１の内壁上面に円周溝５１７を設けて、上端が、係止され、全体が上箱５１１の内壁に内接され、下端が、摺動特性のよいスラスト板５７１とスラスト板押え板５７２を介して、内箱５３上面を押圧したコイル状圧縮バネ５７を設けると共に、内箱５３下面の円周溝５３３１に嵌入した、バネを内蔵するヒツプシール５３３を介して、内箱５３下面と下箱５１２上面とを密着してなり、油類及び被圧縮ガスの僅かな洩れを防止できるようにしたものである。
【０００５】
【発明の実施の形態１】
本発明の実施の形態１が図１及び図２に示されている。
本発明実施例のガス圧縮機は、シリンダ１０とクランクケース２０の間に設けたジスタンスピース３０のシリンダ１０側の隔壁３１にシリンダ軸封装置４０を設け、これから漏れた被圧縮ガスがクランクケース２０へ漏れるのを防ぐため、ジスタンスピース３０のクランクケース２０側の隔壁３２にジスタンスピース軸封装置５０を設けている。
ジスタンスピース軸封装置は、外箱５１と内箱５３とからなる。
図２に示すように、外箱５１は、上箱５１１と下箱５１２からなり、上箱５１１は、ジスタンスピース３０のクランクケース２０側の隔壁３２下面に装着し、上部にピストン棒６０の貫通穴５１５と、その上にピストン棒６０に密嵌するオイルシール５１３を設けると共に、下箱５１２は、ピストン棒６０の貫通穴５１６と、その下方にピストン棒６０に密嵌するオイルシール５１４を設けている。
内箱５３は、下部にピストン棒６０の貫通穴５３４を設けている。
また、内箱５３は、ピストン棒６０と内箱５３との間に内嵌されるアダプタ５４と、内箱５３に内接してアダプタ５４を介してＶ字形パッキンリング５５を押圧できるようにしたコイル状圧縮バネ５６とを内嵌する。
被圧縮ガス漏洩防止のため、外箱５１及び内箱５３の間に油類が充満される。  また、コイル状圧縮バネ５６の下面とアダプタ５４との間に、平板状の弗素樹脂製スラスト板５６１及び平板状の金属板製スラスト押え板５６２を介在している。
なお、板状リング５３１、５３２は、内箱５３及びアダプタ５４とピストン棒６０との接触を避けると共に密嵌するための自己潤滑性の弗素樹脂製リングである。
さらに、上箱５１１の内側に内接し、内箱５３を押圧できるようにしたコイル状圧縮バネ５７を設けている。
コイル状圧縮バネ５７は、上端を上箱５１１の内側上面に設けた円周溝５１７に嵌入して係止され、下端を摺動特性のよい平板状の自己潤滑性弗素樹脂製スラスト板５７１及び平板状の金属板製スラスト押え板５７２を介して内箱５３上面に押圧できるように敷設されている。また、内箱５３下面には円周溝５３３１が設けられて、バネを内蔵したヒツプシール５３３が嵌入され、内箱５３下面と下箱５１２上面ととはヒツプシール５３３を介して密着している。
内箱５３の下面の円周溝５３３１に嵌入したヒツプシール５３３は、図４に示すように、内面にコ字形板バネ５３４Ａを内嵌し、上面と下面にリップ状接触縁５３３Ａを有するもの、図５に示すように、内面にコイル状の円形バネ５３４Ｂを内嵌し、上面と下面にシール片５３３Ｂを有するものが使用される。
従って、ジスタンスピース軸封装置５０において、ピストン棒６０の上下動に従って内箱５３が軸方向に振動し、内箱５３が下箱５１２に対し浮き上っても、内箱５３の下面の円周溝５３３１に嵌入しているヒツプシール５３３の内蔵するバネによって密着でき、僅かな油洩れや被圧縮性ガスの洩れを完全に防止することができる。
また、ピストン棒６０の芯振れが発生したとしても、コイル状圧縮バネ５７は上端が係止され、また全体が上箱５１１の内側側壁に密接に内接し、下端は、内箱５３上面との間の摺動特性のよいスラスト板５７１とスラスト押え板５７２を介して内箱５３を押圧しているので、内箱５３が僅かに横移動してもコイル状圧縮バネ５７は安定して固定を維持したまま、内箱５３を押圧することができ、油及び被圧縮ガスの僅かな漏洩でも防止される。
【０００６】
【発明の効果】
本発明によれば、ガス圧縮機のジスタンスピース軸封装置５０の内箱５３に従来のコイル状圧縮バネ５６に加えて新たにコイル状圧縮バネ５７を設けることにより、運転時に、ピストン棒の上下動に従って内箱が軸方向に振動しても油類や被圧縮ガスの僅かな漏れも完全に防止することができる。さらに、ピストン棒の芯振れがあっても、内箱５３が円滑に横移動でき、油類や被圧縮ガスの僅かな漏洩も完全に防止できることになった。
【図面の簡単な説明】
【図１】  本発明の全体概略説明図である。
【図２】  本発明の実施の形態を示すジスタンスピース軸封装置の拡大断面図である。
【図３】  図３で使用したシールパッキンの一例を示す断面拡大斜視図である。
【図４】  図３で使用したシールパッキンのさらに別の例を示す断面拡大斜視図である。
【符号の説明】
１０  シリンダ
２０  クランクケース
３０  ジスタンスピース
３１  ジスタンスピースのシリンダ側の隔壁
３２  ジスタンスピースのクランクケース側の隔壁
４０  シリンダ軸封装置
５０  ジスタンスピース軸封装置
５１  外箱
５１１  上箱
５１２  下箱
５１７  凹部
５３  内箱
５４  アダプタ
５５  Ｖ字形パッキンリング
５６、５７  コイル状圧縮バネ
５３３、５３３Ａ、５３３Ｂ  ヒツプシール
６０  ピストン棒
【図１】
0003772099.tif 000002
【図２】
0003772099.tif 000003
【図３】
0003772099.tif 000004
【図４】
0003772099.tif 000005